(57)【要約】【課題】実施形態の課題は、薄型狭額縁化が可能なバックライト装置、およびこのバックライト装置を備えた液晶表示装置を提供する。【解決手段】実施形態に係るバックライト装置は、開口３０を有する底板１６を備える収容ケース２２と、底板上に載置され、底板とほぼ平行に位置する出射面と出射面に対してほぼ垂直に延びる入射面ＥＦとを有する導光板ＬＧと、収容ケースに配置され、導光板の入射面に光を入射する光源ユニット５０と、を備えている。光源ユニットは、複数の配線を有する配線基板５２と、配線基板に実装された複数の発光素子５４と、を有し、発光素子は、導光板の入射面に対向する発光面と、発光面の反対側に位置し配線基板に実装される実装面と、を有している。配線基板は、発光素子が実装されているとともに発光素子を挟んで導光板の入射面と対向する実装部５２ａと、実装部から延出し、底板の開口を通して底板の背面側に導出した導出部５２ｂと、を一体に備えている。【選択図】  図７
2018014315.tif 000002
【特許請求の範囲】
【請求項１】
開口を有する底板を備える収容ケースと、
前記底板上に載置され、前記底板とほぼ平行に位置する出射面と前記出射面に対してほぼ垂直に延びる入射面とを有する導光板と、
前記収容ケースに配置され、前記導光板の入射面に光を入射する光源ユニットと、を備え、
前記光源ユニットは、複数の配線を有する配線基板と、前記配線基板に実装された複数の発光素子と、を有し、前記発光素子は、前記導光板の入射面に対向する発光面と、前記発光面の反対側に位置し前記配線基板に実装される実装面と、を有し、
前記配線基板は、前記発光素子が実装されているとともに前記発光素子を挟んで前記導光板の入射面と対向する実装部と、前記実装部から延出し、前記底板の開口を通して前記底板の背面側に導出した導出部と、を一体に備えているバックライト装置。
【請求項２】
前記底板の開口は、前記配線基板の板厚よりも大きな幅を有するスリットである請求項１に記載のバックライト装置。
【請求項３】
前記収容ケースの底板において、少なくとも前記光源ユニットと対向する領域は平坦に形成されている請求項１又は２に記載のバックライト装置。
【請求項４】
前記配線基板は、前記実装部と導出部との間に位置する湾曲した折曲げ部を有し、前記スリットの幅は、前記折曲げ部の幅と同等以上に形成されている請求項２に記載のバックライト装置。
【請求項５】
前記配線基板の導出部は、前記底板の背面に貼付されている請求項１から４のいずれか1項に記載のバックライト装置。
【請求項６】
前記収容ケースは、前記底板の周縁に沿って立設された複数の側板を有し、
前記配線基板の実装部は、１つの側板の内面に粘着部材により貼付され、
前記折曲げ部は、前記粘着部材を支点として折曲げられている請求項４に記載のバックライト装置。
【請求項７】
前記配線基板の導出部および前記底板に重ねて配置された放熱シートを更に備えている請求項１から６のいずれか１項に記載のバックライト装置。
【請求項８】
前記放熱シートは、前記収容ケースの底板において、前記光源ユニット側の一端部から反対側の他端部まで延在している請求項７に記載のバックライト装置。
【請求項９】
前記配線基板は、前記発光素子に接続されているとともに前記実装部から前記導出部まで延びる複数の配線と、前記配線と電気的に独立し、前記実装部から導出部まで延びる伝熱層と、を有している請求項７に記載のバックライト装置。
【請求項１０】
前記伝熱層は、前記配線と同層の導電層である請求項９に記載のバックライト装置。
【請求項１１】
第１基板と、この第１基板に対向して配置された第２基板と、前記第１基板と第２基板との間に設けられた液晶層と、を有する液晶パネルと、
前記第１基板に対向して設けられたバックライト装置と、を備え、
前記バックライト装置は、開口を有する底板を備える収容ケースと、前記底板上に載置され、前記底板とほぼ平行に位置する出射面と前記出射面に対してほぼ垂直に延びる入射面とを有する導光板と、前記収容ケースに配置され、前記導光板の入射面に光を入射する光源ユニットと、を備え、
前記光源ユニットは、複数の配線を有する配線基板と、前記配線基板に実装された複数の発光素子と、を有し、前記発光素子は、前記導光板の入射面に対向する発光面と、前記発光面の反対側に位置し前記配線基板に実装される実装面と、を有し、
前記配線基板は、前記発光素子が実装されているとともに前記発光素子を挟んで前記導光板の入射面と対向する実装部と、前記実装部から延出し、前記底板の開口を通して前記底板の背面側に導出した導出部と、を一体に備えている液晶表示装置。
【発明の詳細な説明】
【技術分野】
【０００１】
本発明の実施形態は、バックライト装置およびこれを備えた液晶表示装置に関する。
【背景技術】
【０００２】
近年、スマートフォン、パーソナルアシスタントデバイス（ＰＡＤ）、タブレットコンピュータ、カーナビゲーションシステム等の表示装置として、液晶表示装置が広く用いられている。一般に、液晶表示装置は、液晶パネルと、この液晶パネルの背面に重ねて配置され液晶パネルを照明するバックライト装置と、を備えている。バックライト装置は、反射層、導光板、光学シート、導光板に入射する光を照射する光源ユニット、これらを収容する収容ケース（ベゼル）等を有している。光源ユニットは、配線基板と、この配線基板上に実装された複数の光源、例えば、発光ダイオード（ＬＥＤ）と、を有している。
【０００３】
ＬＥＤとしては、サイドビュー型のＬＥＤおよびトップビュー型のＬＥＤが知られている。サイドビュー型のＬＥＤは、発光面が配線基板と直交する向きに設けられ、トップビュー型のＬＥＤは、発光面が配線基板と平行に対向する向きに設けられている。  
バックライトユニットの光源としてサイドビュー型のＬＥＤを用いる場合、ＬＥＤは、発光面が導光板の入射面と対向し、配線基板は、導光板の出射面と平行に、すなわち、液晶パネルの表示面と平行な向きに配置される。そのため、配線基板に多数の配線を引き回せるように、配線基板の幅を広くすると、配線基板が表示領域に干渉し易くなり、液晶表示装置の狭額縁化の妨げとなる。
【０００４】
また、光源としてトップビュー型のＬＥＤを用いる場合、ＬＥＤは、発光面が導光板の入射面と対向した状態に配置され、配線基板は、導光板の入射面と平行に、すなわち、バックライト装置の厚さ方向に延在した状態に配置される。そのため、多数の配線を引き回せるように配線基板の幅を広くすると、その分だけ、バックライト装置を厚くする必要がある。
【先行技術文献】
【特許文献】
【０００５】
【特許文献１】特開２００３−２７９９７３号公報
【発明の概要】
【発明が解決しようとする課題】
【０００６】
ここで述べる実施形態の目的は、一層の薄型狭額縁化が可能なバックライト装置、およびこのバックライト装置を備えた液晶表示装置を提供することにある。
【課題を解決するための手段】
【０００７】
実施形態に係るバックライト装置は、開口を有する底板を備える収容ケースと、前記底板上に載置され、前記底板とほぼ平行に位置する出射面と前記出射面に対してほぼ垂直に延びる入射面とを有する導光板と、前記収容ケースに配置され、前記導光板の入射面に光を入射する光源ユニットと、を備えている。前記光源ユニットは、複数の配線を有する配線基板と、前記配線基板に実装された複数の発光素子と、を有し、前記発光素子は、前記導光板の入射面に対向する発光面と、前記発光面の反対側に位置し前記配線基板に実装される実装面と、を有している。前記配線基板は、前記発光素子が実装されているとともに前記発光素子を挟んで前記導光板の入射面と対向する実装部と、前記実装部から延出し、前記底板の開口を通して前記底板の背面側に導出した導出部と、を一体に備えている。
【図面の簡単な説明】
【０００８】
【図１】図１は、第１の実施形態に係る液晶表示装置の表示面側を示す斜視図。
【図２】図２は、前記液晶表示装置の背面側を示す斜視図。
【図３】図３は、メインＦＰＣを折り返して固定した状態における前記液晶表示装置の背面側を示す斜視図。
【図４】図４は、前記液晶表示装置の分解斜視図。
【図５】図５は、前記液晶表示装置のバックライトユニットの分解斜視図。
【図６Ａ】図６Ａは、前記バックライトユニットの光源ユニットを示す斜視図。
【図６Ｂ】図６Ｂは、変形例に係るバックライトユニットの光学ユニットを示す斜視図。
【図７】図７は、図３の線Ａ−Ａに沿って破断した前記液晶表示装置の光源側部分を示す斜視図。
【図８】図８は、第２の実施形態に係る液晶表示装置のバックライトユニットを示す分解斜視図。
【図９】図９は、第２の実施形態に係る液晶表示装置の背面側を示す斜視図。
【発明を実施するための形態】
【０００９】
以下、図面を参照しながら、この発明の実施形態について詳細に説明する。  
なお、開示はあくまで一例にすぎず、当業者において、発明の主旨を保っての適宜変更であって容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
（第１の実施形態）  
図１および図２は、第１の実施形態に係る液晶表示装置の表示面側および背面側をそれぞれ示す斜視図、図３は、ドライバＩＣが実装されたメインＦＰＣを背面側に折り重ねた状態における液晶表示装置の背面側を示す斜視図、図４は、液晶表示装置の分解斜視図である。  
液晶表示装置１０は、例えばスマートフォン、タブレット端末、携帯電話機、ノートブックタイプＰＣ、携帯型ゲーム機、電子辞書、テレビ装置、カーナビゲーションシステムなどの各種の電子機器に組み込んで使用することができる。
【００１１】
図１、図２、図４に示すように、液晶表示装置１０は、アクティブマトリクス型の平板状の液晶パネル１２と、液晶パネル１２の一方の平板面である表示面１２ａに重ねて配置され、この表示面１２ａ全体を覆う透明なカバーパネル１４と、液晶パネル１２の他方の平板面である背面に対向して配置されたバックライト装置としてのバックライトユニット２０と、を備えている。
【００１２】
液晶パネル１２は、矩形平板状の第１基板ＳＵＢ１と、第１基板ＳＵＢ１に対向配置された矩形平板状の第２基板ＳＵＢ２と、第１基板ＳＵＢ１と第２基板ＳＵＢ２との間に保持された液晶層ＬＱと、を備えている。第２基板ＳＵＢ２の周縁部は、シール材ＳＥにより第１基板ＳＵＢ１に貼り合わされている。第２基板ＳＵＢ２の表面に偏光板ＰＬ２が貼付され、液晶パネル１２の表示面１２ａを形成している。第１基板ＳＵＢ１の表面（液晶パネル１２の背面）に偏光板ＰＬ１が貼付されている。
【００１３】
液晶パネル１２では、当該液晶パネル１２を平面視した状態でシール材ＳＥの内側となる領域に矩形状の表示領域（アクティブ領域）ＤＡが設けられ、該表示領域ＤＡに画像が表示される。表示領域ＤＡの周囲に、矩形枠状の額縁領域ＥＤが設けられている。液晶パネル１２は、バックライトユニット２０からの光を表示領域ＤＡに選択的に透過することで画像を表示する透過表示機能を備えた透過型である。液晶パネル１２は、主として基板主面に沿った横電界を利用する横電界モードに対応した構成を有していても良いし、主として基板主面に交差する縦電界を利用する縦電界モードに対応した構成を有していても良い。
【００１４】
図示した例では、第１基板ＳＵＢ１の短辺側の端部にフレキシブルプリント回路基板（メインＦＰＣ）２３が接合され、液晶パネル１２から外方に延出している。メインＦＰＣ２３には、液晶パネル１２を駆動するのに必要な信号を供給する信号供給源として、ドライバＩＣ２４等の半導体素子が実装されている。メインＦＰＣ２３の延出端に、サブＦＰＣ２５が接合されている。このサブＦＰＣ２５上に、コンデンサＣ１、コネクタ２６等が実装されている。図３に示すように、メインＦＰＣ２３およびサブＦＰＣ２５は、第１基板ＳＵＢ１の短辺側端縁に沿って折り返され、バックライトユニット２０の底板に重ねて配置される。後述するように、メインＦＰＣ２３およびサブＦＰＣ２５は、両面テープ等の粘着部材により、バックライトユニット２０の底板に貼付される。
【００１５】
図１および図４に示すように、カバーパネル１４は、例えば、ガラス板あるいはアクリル系の透明樹脂等により、矩形平板状に形成されている。カバーパネル１４は、液晶パネル１２の寸法（幅、長さ）よりも大きな幅および長さを有し、平面視（液晶パネルの表示面の法線方向から当該液晶パネルを視認する状態をいう。以下同様。）で液晶パネル１２よりも大きな面積を有している。カバーパネル１４の下面（裏面）は、例えば、透明な接着剤あるいは粘着剤からなる粘着層により、液晶パネル１２の表示面１２ａに貼付され、液晶パネル１２の表示面１２ａを全面に亘って覆っている。カバーパネル１４の周縁部は、該カバーパネル１４を液晶パネル１２に貼り付けた状態を平面視した場合に当該液晶パネル１２の外周縁よりも外側に突出している。カバーパネル１４の各長辺と液晶パネル１２の長辺とは所定の間隔を有してほぼ平行な状態となっている。カバーパネル１４の各短辺と液晶パネル１２の短辺とは所定の間隔を有してほぼ平行な状態となっている。本実施形態において、カバーパネル１４の長辺と液晶パネル１２の長辺との間隔、すなわち、カバーパネル１４の長辺側周縁部の幅は、カバーパネル１４の短辺と液晶パネル１２の短辺との間隔、すなわち、カバーパネルの短辺側周縁部の幅よりも小さく形成されている。
【００１６】
カバーパネル１４の下面（裏面、液晶パネル側の面）に枠状の遮光層ＲＳが形成されている。カバーパネル１４において、液晶パネル１２の表示領域ＤＡと対向する領域以外の領域は、遮光層ＲＳにより遮光されている。遮光層ＲＳは、カバーパネル１４の上面（外面）に形成してもよい。なお、カバーパネル１４は、液晶表示装置１０の使用状況に応じて、省略してもよい。
【００１７】
バックライトユニット２０は、偏平な矩形状の収容ケース２２と、この収容ケース２２内に敷設あるいは配置された光学部材および光源ユニットと、を備えている。そして、バックライトユニット２０は、液晶パネル１２の背面に対向して配置され、枠状の粘着部材、例えば、両面テープＴＰ１により液晶パネル１２の背面、例えば、偏光板ＰＬ１に貼付されている。
【００１８】
次に、バックライトユニット２０についてより詳細に説明する。  
図５は、バックライトユニット２０の分解斜視図、図６Ａは、光源ユニットの斜視図および光源ユニットの一部を拡大して示す斜視図、図７は、液晶表示装置の光源側部分を破断して示す斜視図である。  
図５に示すように、バックライトユニット２０は、偏平な矩形状の収容ケース（ベゼル）２２と、収容ケース２２内に配置された複数の光学部材と、光学部材に入射する光を供給する光源ユニット５０と、を備えている。
【００１９】
収容ケース２２は、例えば、０．１ｍｍ厚のステンレス板材を折曲げ加工やプレス成形等することにより、偏平な矩形蓋状に形成されている。収容ケース２２は、矩形状の底板１６と、底板１６の各側縁に立設された一対の長辺側の側板１８ａおよび一対の短辺側の側板１８ｂと、を一体に有している。本実施形態において、底板１６は、凹凸を有することなく、平坦に形成されている。平面視で、底板１６は、液晶パネル１２の第１基板ＳＵＢ１の寸法よりも僅かに大きく、かつ、カバーパネル１４の寸法よりも小さい寸法（長さ、幅）に形成されている。  
長辺側の側板１８ａは、底板１６に対してほぼ垂直に立設し、底板１６の長辺の全長に亘って延びている。短辺側の側板１８ｂは、底板１６に対してほぼ垂直に立設し、底板１６の短辺の全長に亘って延びている。これら側板１８ａ、１８ｂの底板１６からの高さは、例えば、１ｍｍ程度に形成されている。  
図５および図７に示すように、底板１６は、開口としてのスリット３０を有している。スリット３０は、底板１６の一方の短辺の近傍に形成され、この短辺に沿って、かつ、短辺のほぼ全長に亘って、延びている。スリット３０の幅Ｗ１は、光源ユニット５０の配線基板の厚さＷ２よりも大きく形成されている。
【００２０】
バックライトユニット２０は、光学部材として、平面視で矩形状の反射シートＲＥ、導光板ＬＧ、複数枚、例えば、２枚の第１光学シートＯＳ１および第２光学シーＯＳ２を有している。光学シートは、２枚に限らず、３枚以上の光学シートを用いてもよい。  
反射シートＲＥは、収容ケース２２の底板１６の内形寸法とほぼ等しい外形寸法に形成されている。反射シートＲＥは、底板１６上に敷設され、スリット３０部分を除いて底板１６のほぼ全面を覆っている。反射シートＲＥは、膜厚が２００μｍ以下、望ましくは、５０〜９０μｍ、反射率が９０％以上、望ましくは、９５％以上の反射シートを用いている。
【００２１】
矩形状の導光板ＬＧは、出射面となる第１主面Ｓ１と、この第１主面Ｓ１の反対側の第２主面Ｓ２と、第１主面Ｓ１と第２主面Ｓ２とを繋ぐ複数の側面と、を有している。本実施形態では、導光板ＬＧの短辺側の一側面を入射面ＥＦとしている。導光板ＬＧは、板厚が例えば、０．２３〜０．３２ｍｍ程度のものを用いている。また、導光板ＬＧは、例えば、ポリカーボネイトやアクリル系、シリコン系等の樹脂で形成されている。  
導光板ＬＧは、平面視で、収容ケース２２の内径寸法よりも僅かに小さい外形寸法（長さ、幅）、かつ、液晶パネル１２の表示領域ＤＡよりも僅かに大きな外形寸法に形成されている。導光板ＬＧは、第２主面Ｓ２側が反射シートＲＥと対向した状態で、収容ケース２２内に配置され、反射シートＲＥ上に載置されている。これにより、導光板ＬＧの第１主面（出射面）Ｓ１は、収容ケース２２の底板１６とほぼ平行に位置し、入射面ＥＦは、底板１６に対してほぼ垂直に位置している。また、入射面ＥＦは、収容ケース２２の短辺側の側板１８ｂと僅かな隙間を置いて対向している。
【００２２】
本実施形態によれば、第１光学シートＯＳ１および第２光学シートＯＳ２として、例えば、ポリエチレンテレフタレート等の合成樹脂で形成された光透過性を有する拡散シートおよびプリズムシートを用いている。第１光学シートＯＳ１は、導光板ＬＧの外形寸法よりも僅かに大きい（長い）外形寸法を有する矩形状に形成されている。第１光学シートＯＳ１は、導光板ＬＧの第１主面Ｓ１に重ねて載置されている。第１光学シートＯＳ１の一方の短辺側の端部は、導光板ＬＧを越えて光源ユニット５０側に突出している。第２光学シートＯＳ２は、第１光学シートＯＳ１に重ねて載置されている。
【００２３】
図６Ａに示すように、光源ユニット５０は、例えば、細長い帯状の配線基板５２と、この配線基板５２上に並べて実装された複数の光源と、を備えている。光源としては、発光素子、例えば、発光ダイオード（ＬＥＤ）５４を用いている。  
配線基板５２は、フレキシブルプリント回路基板（ＦＰＣ）を用いている。配線基板５２は、ポリイミド等からなる絶縁層と、絶縁層上に形成された銅箔等の導電層と、を有している。導電層は、パターニングすることにより、複数の接続パッド５５、複数の配線５６、および伝熱パターン（伝熱層）５８を形成している。
【００２４】
配線基板５２の長さＬは、導光板ＬＧの入射面ＥＦの長さとほぼ等しく、かつ、底板１６に形成されたスリット３０の長さよりも僅かに短く形成されている。配線基板５２は、一方の長辺に沿って延びる帯状の実装部（実装領域）５２ａ、この実装部５２ａから他方の長辺まで延出した帯状の導出部（配線領域）５２ｂ、および実装部５２ａと導出部５２ｂとの間に位置し、ほぼ直角に湾曲される折曲げ部５２ｃを一体に有している。  
複数の接続パッド５５は、配線基板５２の実装部５２ａに設けられ、実装部５２ａの長手方向に並んで配置されている。複数の配線５６は、それぞれ接続パッド５５から配線基板５２の導出部５２ｂに延出し、導出部５２ｂ上を引き回されている。複数の伝熱パターン５８は、それぞれ導出部５２ｂに設けられ、実装部５２ａの近傍から導出部５２ｂの長辺端まで延在している。また、各伝熱パターン５８は、ＬＥＤ５４側は幅が狭く、導出部５２ｂ側が幅広に形成されていることが望ましい。各伝熱パターン５８は、配線５６および接続パッド５５から電気的に分離し、フローティング状態に設けられている。
【００２５】
ＬＥＤ５４は、トップビュー型のＬＥＤを用いている。すなわち、ＬＥＤ５４は、例えば、樹脂で形成されたほぼ直方体形状のケース（パッケージ）６０を有している。ケース６０の上面は、発光面６２を形成し、この発光面と反対側に位置するケース６０の底面が実装面を形成している。ケース６０の底面に接続端子６３が設けられている。
【００２６】
ＬＥＤ５４は、ケース６０の底面が配線基板５２の実装部５２ａ上に実装され、接続端子６３が接続パッド５５に電気的に接合される。ＬＥＤ５４ｂの発光面６２は、配線基板５２とほぼ平行に位置し、ＬＥＤ５４は、配線基板５２に対してほぼ垂直な方向に、発光面６２から光を出射する。  
各ＬＥＤ５４は、ケース６０の長手方向が実装部５２ａの長手方向と整列した状態で、実装部５２ａに実装されている。本実施形態では、光源ユニット５０は、表示領域ＤＡの幅に応じて、例えば、３０〜５０個のＬＥＤ５４を有している。これらのＬＥＤ５４は、実装部５２ａの長手方向一端から他端まで、一列に並べて実装部５２ａ上に配置されている。  
なお、本実施形態において、ＬＥＤ５４の配列ピッチＰは、ＬＥＤ５４の並び方向の長さＬの１．１倍〜１．５倍程度とし、隣り合うＬＥＤ５４の間隔Ｄは長さＬの１０％〜５０％程度としている。本実施形態では、ＬＥＤ５４の間隔Ｄを従来よりも狭めて設置することで、隣り合う点光源間に発生する輝度ムラの領域の狭小化が図られている。
【００２７】
本実施形態では、ＬＥＤ５４を固定、位置決めするための帯状の固定テープＴＰ２が全てのＬＥＤ５４の側面に貼付されている。固定テープＴＰ２は、幅方向の約半分の領域がＬＥＤ５４に貼付され、残り半分の領域は、導光板ＬＧに貼付される。固定テープＴＰ２の一側縁は、配線基板５２に当接していてもよい。固定テープＴＰ２は、連続した１本のテープに限らず、複数の分割された固定テープを用いてもよい。また、固定テープＴＰ２は、例えば、黒色で形成され、遮光機能を有していてもよい。
【００２８】
ＬＥＤ５４の搭載数は、３０〜５０個に限らず、必要に応じて増減可能である。より長さＬ１の長いＬＥＤを用いることにより、ＬＥＤの搭載数を低減してもよい。図６Ｂに示す変形例によれば、ＬＥＤ５４の長さＬ１を、図６Ａに示したＬＥＤ５４の約４〜５倍程度としている。配線基板５２の実装部５２ａの幅Ｗは、ＬＥＤ５４の幅Ｗ１の１．１〜１．５倍に形成されている。ＬＥＤ５４の配列ピッチＰは、ＬＥＤ５４の長さＬ１の１．１倍〜１．５倍程度とし、隣り合うＬＥＤ５４の間隔Ｄは、ＬＥＤ５４の長さＬ１の１０％〜５０％程度としている。
【００２９】
図５および図７に示すように、上記のように構成された光源ユニット５０は、収容ケース２２内に配置されている。配線基板５２の実装部５２ａおよびＬＥＤ５４は、導光板ＬＧの入射面ＥＦと収容ケース２２の側板１８ｂとの間に配置されている。複数のＬＥＤ５４の発光面６２は、導光板ＬＧの入射面ＥＦに対向し、あるいは、入射面ＥＦに当接している。実装部５２ａは、粘着部材、例えば、両面テープＴＰ３により、側板１８ｂの内面に貼付されている。なお、粘着部材は、両面テープＴＰ３に限らず、例えば、ＵＶ硬化型の接着剤を用いることもできる。ＬＥＤ５４の発光は、紫外線領域の光を含んでいることから、この紫外線光を利用してＵＶ硬化型の接着剤を硬化させることができる。  
全てのＬＥＤ５４の側面（図では、収容ケース２２の底板１６側の側面）および導光板ＬＧの第２主面Ｓ２に亘って固定テープＴＰ２が貼付されている。ＬＥＤ５４は、この固定テープＴＰ２により、導光板ＬＧに対して位置決めおよび固定されている。このようにして、ＬＥＤ５４の発光面６２は、導光板ＬＧの端面、すなわち、入射面ＥＦに当接した状態に維持される。
【００３０】
第１光学シート０Ｓ１の光源側の端部および第２光学シートＯＳ２の光源側の端部は、導光板ＬＧからＬＥＤ５４と対向する位置まで延出している。
【００３１】
図５および図７に示すように、配線基板５２の折曲げ部５２ｃおよび導出部５２ｂは、収容ケース２２の底板１６に形成されたスリット３０に挿通され、底板１６の背面側に導出している。折曲げ部５２ｃは、ほぼ９０度、底板１６側に湾曲あるいは折曲げられている。これにより、図２および図７に示すように、配線基板５２の導出部５２ｂは、底板１６の背面に隣接対向しているとともに、両面テープＴＰ５により、底板１６に貼付されている。  
なお、前述したように、配線基板５２が挿通されるスリット３０の幅Ｗ２は、配線基板５２の板厚Ｔ１よりも大きく、例えば、Ｔ１の２倍以上に形成している。そのため、配線基板５２を折曲げ部５２ｃの位置で折曲げる際、底板１６に干渉することなく比較的大きな曲率で配線基板５２を折曲げることができ、当該折曲げに伴う配線基板５２上の配線５６の断線が抑制されている。更に、実装部５２ａは固定テープＴＰ３により収容ケース２２の側板に固定さている。そのため、固定テープＴＰ３の下端を支点として配線基板５２を折曲げることにより、折曲げ部５２ｃを適切な位置に設けることができる。
【００３２】
図２に示すように、底板１６の背面側において、配線基板５２の導出部５２ｂ上に連結ＦＰＣ７２が固定され、導出部５２ｂの配線に電気的に接続されている。連結ＦＰＣ７２は接続部７３を有し、この接続部７３の延出端にコネクタ７４が設けられている。
【００３３】
図２、図３、図７に示すように、バックライトユニット２０は、収容ケース２２の背面側に設けられた放熱シート８０を備えていてもよい。放熱シート８０は、例えば、グラファイト等の伝熱性の高い材料で形成されている。放熱シート８０は、収容ケース２２の底板１６とほぼ等しい寸法の矩形状を有している。放熱シート８０は、配線基板５２の導出部５２ｂおよび底板１６の背面に重ねて配置され、配線基板５２の導出部５２ｂおよび底板１６のほぼ全面を覆っている。放熱シート８０は、図示しない粘着部材により、底板１６に貼付してもよい。放熱シート８０は、導出部５２ｂに設けられた配線５６および伝熱パターン５８に熱的に接続されている。このように、放熱シート８０は、底板１６の光源ユニット側の短辺部から反対側の短辺部に亘って延在している。  
ＬＥＤ５４の発光に伴って生じる熱は、配線基板５２を介して、主に、配線５６および伝熱パターン５８を介して、放熱シート８０に伝わり、更に、放熱シート８０から底板１６に伝わり、放熱シート８０および底板１６から放熱される。
【００３４】
上記のように構成されたバックライトユニット２０は、枠状の両面テープＴＰ１により液晶パネル１２の背面に貼付されている。図７に示すように、収容ケース２２の側板１８ａ、１８ｂの外面に両面テープＴＰ１が貼付されている。両面テープＴＰ１の一部は、折曲げられ、側板１８ａ、１８ｂから第１および第２光学シートＯＳ２、ＯＳ１に向かって延出している。両面テープＴＰ１は、少なくとも第２光学シートＯＳ２の光源側端部に貼付けられている。更に、液晶パネル１２側では、両面テープＴＰ１は、偏光板ＰＬ１の周縁部、およびスペーサ８２を挟んで第１基板ＳＵＢ１の周縁部に、貼付されている。
図３および図７に示すように、液晶パネル１２から延出したメインＦＰＣ２３およびサブＦＰＣ２５は、収容ケース２２の側板１８ｂに沿って底板１６の背面側に折り返されている。メインＦＰＣ２３およびサブＦＰＣ２５は、図示しない粘着部材により、放熱シート８０あるいは底板１６に貼付される。また、連結ＦＰＣ７２のコネクタ７４は、サブＦＰＣ２５上の接続部に接続される。
【００３５】
以上のように構成された液晶表示装置１０によれば、光源ユニット５０の配線基板５２は、ＬＥＤ５４が実装された実装部５２ａに連続して設けられた導出部５２ｂを有し、この導出部５２ｂに複数の配線５６を設けている。このように導出部５２ｂを配線５６の設置スペースとして用いることにより、多数の配線を容易に引き回すことが可能となる。その結果、より多数のＬＥＤ５４を実装部５２ａに実装することができる。また、配線基板５２の導出部５２ｂは、収容ケース２２の底板１６に形成されたスリット３０を通して底板１６の背面側に引き出されている。配線基板５２は、実装部５２ａのみが収容ケース２２内に配置されている。そのため、配線基板５２が収容ケース２２の底板１６に干渉することがなく、底板１６を平坦に形成し、収容ケース２２およびバックライトユニット２０の厚さを低減することが可能となる。
【００３６】
配線基板５２の導出部５２ｂを収容ケース２２の底板１６に貼付しているため、光源（ＬＥＤ５４）から発生した熱を配線基板５２を介して熱容量の大きい金属の底板１６に伝熱し、熱拡散することができる。更に、本実施形態では、配線基板５２の導出部５２ｂおよび底板１６に重ねて放熱シート８０を配置している。ＬＥＤ５４から発生した熱を放熱シート８０に伝熱し、放熱シート８０から外部あるいは底板１６に放熱する。これにより、バックライトユニット２０の光源部分が局部的に高温となることを防止し、バックライトユニット２０全体に熱を拡散することができる。更に、配線基板５２の導出部５２ｂに伝熱用の伝熱パターン５８を設けることにより、光源からの熱をより効率良く底板１６および放熱シート８０に伝熱することができる。  
以上のことから、第１の実施形態によれば、一層の薄型狭額縁化が可能なバックライト装置、およびこのバックライト装置を備えた液晶表示装置が得られる。
また、遮光部ＲＳ２は光学シートＯＳ１に印刷等により形成され、当該光学シートＯＳ１と比較しても著しく薄い。この結果、当該光学シートＯＳ０１の光源側端部、及び光学シートＯＳ０２の光源側端部は、導光板ＬＧの第１主面Ｓ１に沿った状態で配置されることとなり、当該端部に撓みや曲げ等が発生する虞はない。この結果、当該部分で不測の光路が形成されることはなく、ＬＥＤ光源５４からの光路の管理が容易となる。また、当該箇所には遮光部ＲＳ２が存在することから、当該遮光部ＲＳ２による遮光効果と相俟って、光源付近での不測の漏れ光の発生が著しく抑制される。
【００３７】
次に、他の実施形態に係る液晶表示装置のバックライト装置について説明する。以下に説明する実施形態において、前述した第１の実施形態と同一の部分には、同一の参照符号を付してその詳細な説明を省略あるいは簡略化し、第１の実施形態と異なる部分を中心に詳しく説明する。  
（第２の実施形態）  
図８は、第２の実施形態に係るバックライト装置の収容ケースおよび光源ユニットを示す分解斜視図、図９は、第２の実施形態に係る液晶表示装置の背面側を示す斜視図である。  
図８に示すように、第２の実施形態によれば、光源ユニット５０の配線基板５２において、導出部５２ｂに複数本、例えば、２本のスリット８４が形成されている。各スリット８４は、配線基板５２の幅方向に沿って、導出部５２ｂの一側縁から実装部５２ａの近傍まで延びている。導出部５２ｂは、これらの２本のスリット８４により、第１領域５２ｂ１、第２領域５２ｂ２、および第３領域５２ｂ３の３つ分割されている。第１領域５２ｂ１、第２領域５２ｂ２、および第３領域５２ｂ３の各々には、複数の配線５６およびフローティング状態の伝熱パターン５８が設けられている。
【００３８】
収容ケース２２の底板１６は、それぞれスリット３０を横断して延びる複数本、例えば、２本のブリッジ８６を有している。ブリッジ８６は、配線基板５２のスリット８４に対応する位置に設けられている。底板１６のスリット３０は、２本のブリッジ８６により、３つのスリット３０ａ、３０ｂ、３０ｃに区切られている。３つのスリット３０ａ、３０ｂ、３０ｃは、それぞれ導出部５２ｂの第１領域５２ｂ１、第２領域５２ｂ２、および第３領域５２ｂ３の長さよりも僅かに長く形成されている。また、３つのスリット３０ａ、３０ｂ、３０ｃは、それぞれ配線基板５２の板厚よりも大きい幅を有している。
【００３９】
図８および図９に示すように、配線基板５２の導出部５２ｂの第１領域５２ｂ１、第２領域５２ｂ２、および第３領域５２ｂ３は、それぞれ底板１６のスリット３０ａ、３０ｂ、３０ｃに挿通され、底板１６の背面側に導出している。この際、ブリッジ８６は導出部５２ｂのスリット８４に挿通される。更に、第１領域５２ｂ１、第２領域５２ｂ２、および第３領域５２ｂ３は、底板１６の背面側に折曲げられ、底板１６に対向しているとともに、固定テープにより底板１６の背面に貼付される。  
導出部５２ｂの第１領域５２ｂ１、第２領域５２ｂ２、および第３領域５２ｂ３に重ねて連結ＦＰＣ７２が設けられる。連結ＦＰＣ７２の配線は、第１領域５２ｂ１、第２領域５２ｂ２、および第３領域５２ｂ３に設けられた複数の配線に電気的に接続されている。  
バックライトユニット２０および液晶表示装置１０の他の構成は、前述した第１の実施形態に係るバックライトユニットおよび液晶表示装置と同様である。
【００４０】
上記構成の第２の実施形態によれば、スリット３０を横断するブリッジ８６を設けることにより、底板１６および収容ケース２２の機械的強度を上げることができる。その他、第２の実施形態においても、前述した第１の実施形態と同様の作用効果を得ることができる。
【００４１】
本発明のいくつかの実施形態および変形例を説明したが、これらの実施形態および変形例は、例として提示したものであり、発明の範囲を限定することは意図していない。新規な実施形態は、その他の様々な形態で実施されることが可能であり、発明の要旨を逸脱しない範囲で、種々の省略、置き換え、変更を行うことができる。実施形態やその変形例は、発明の範囲や要旨に含まれるとともに、特許請求の範囲に記載された発明とその均等の範囲に含まれる。
【００４２】
本発明の実施形態として上述した各構成を基にして、当業者が適宜設計変更して実施し得る全ての構成及び製造工程も、本発明の要旨を包含する限り、本発明の範囲に属する。また、上述した実施形態によりもたらされる他の作用効果について本明細書の記載から明らかなもの、又は当業者において適宜想到し得るものついては、当然に本発明によりもたらされるものと解される。  
液晶パネル、およびバックライトユニットの構成部材の外形状および内形状は、矩形状に限定されることなく、外形あるいは内径のいずれか一方あるいは両方を平面視多角形状や円形、楕円形、およびこれらを組み合わせた形状等の他の形状としてもよい。構成部材の材料は、上述した例に限らず、種々選択可能である。
【符号の説明】
【００４３】
１０…液晶表示装置、１２…液晶パネル、１４…カバーパネル、  
１６…底板、１８ａ、１８ｂ…側板、２０…バックライトユニット、  
２２…収容ケース、２３…メインＦＰＣ、２４…ドライバＩＣ、３０…スリット、  
５０…光源ユニット、５２…配線基板、５４…光源（ＬＥＤ）、５２ａ…実装部、  
５２ｂ…導出部、５２ｃ…折曲げ部、５６…配線、５８…伝熱パターン、
ＳＵＢ１…第１基板、ＳＵＢ２…第２基板、ＬＱ…液晶層、ＤＡ…表示領域、  
ＥＤ…額縁領域、ＬＧ…導光板、ＯＳ１、ＯＳ２…光学シート、  
ＰＬ１、ＰＬ２…偏光板
【図１】
2018014315.tif 000003
【図２】
2018014315.tif 000004
【図３】
2018014315.tif 000005
【図４】
2018014315.tif 000006
【図５】
2018014315.tif 000007
【図６Ａ】
2018014315.tif 000008
【図６Ｂ】
2018014315.tif 000009
【図７】
2018014315.tif 000010
【図８】
2018014315.tif 000011
【図９】
2018014315.tif 000012